(57)【要約】【課題】仕上げ操作に不慣れなユーザでも適当なお勧め仕上げモードの設定を容易に行うことができる画像形成装置を提供する。【解決手段】仕上げ機能を備えた画像形成装置であって、印刷部数および仕上げモードを設定可能な操作パネル３０と、操作パネル３０で設定された少なくとも原稿枚数と印刷部数に基づいて、適当なお勧め仕上げモードを判断する制御部２８と、制御部２８により判断された適当なお勧め仕上げモードをユーザに対して表示する操作パネル３０の表示部４８と、を備えている。【選択図】図４
2006285079.tif 000002
【特許請求の範囲】
【請求項１】
仕上げ機能を備えた画像形成装置であって、
原稿枚数および印刷部数を設定可能な操作手段と、
前記操作手段で設定された少なくとも原稿枚数と印刷部数に基づいて、適当なお勧め仕上げモードを判断する制御手段と、
前記制御手段により判断された適当なお勧め仕上げモードをユーザに対して表示する表示手段と、を備えた画像形成装置。
【請求項２】
前記制御手段は、前記原稿枚数が所定枚数以上で且つ前記印刷部数が１であれば第１綴じ手段であるステープルをお勧め仕上げモードとして選定することを特徴とする請求項１に記載の画像形成装置。
【請求項３】
前記制御手段は、前記原稿枚数が所定枚数以上で且つ前記印刷部数が２以上であれば第１綴じ手段であるステープルおよび／またはパンチをお勧め仕上げモードとして選定することを特徴とする請求項１に記載の画像形成装置。
【請求項４】
前記制御手段は、一部あたりの出力枚数がステープル可能枚数を超えていれば、パンチおよびソートをお勧め仕上げモードとして選定することを特徴とする請求項３に記載の画像形成装置。
【請求項５】
前記制御部は、さらに第２綴じ手段を追加してお勧め仕上げモードとして選定することを特徴とする請求項４に記載の画像形成装置。
【請求項６】
前記制御手段は、前記原稿枚数が所定枚数以上で且つ一部あたりの出力枚数がステープル可能枚数を超えていれば、第２綴じ手段をお勧め仕上げモードとして選定することを特徴とする請求項１に記載の画像形成装置。
【請求項７】
前記所定枚数が２であることを特徴とする請求項２ないし６のいずれかに記載の画像形成装置。
【請求項８】
前記制御手段は、ユーザによって前記操作手段で週刊誌モードが設定されていれば、第１綴じ手段であるステープルと、中折りまたはパンチとをお勧め仕上げモードとして選定することを特徴とする請求項１に記載の画像形成装置。
【請求項９】
前記制御部は、印刷される用紙が中折り可能サイズでなければ、パンチとステープルをお勧め仕上げモードとして選定することを特徴とする請求項８に記載の画像形成装置。
【請求項１０】
前記制御手段は、印刷される用紙が中折り可能サイズであれば、中折りと中綴じステープルをお勧め仕上げモードとして選定することを特徴とする請求項８に記載の画像形成装置。
【請求項１１】
前記操作手段および前記表示手段は、画像形成装置に設けられた操作パネルであることを特徴とする請求項１に記載の画像形成装置。
【請求項１２】
前記操作手段および前記表示手段は、画像形成装置に接続されたパソコンに含まれることを特徴とする請求項１に記載の画像形成装置。
【発明の詳細な説明】
【技術分野】
【０００１】
本発明は、仕上げ機能を備えた画像形成装置に関する。
【背景技術】
【０００２】
従来、ステープル、パンチ、紙折り、ソートなどの仕上げ機能を備えた画像形成装置が知られている。これらの仕上げモードは、一般に、複写機においては本体上部に設けられた操作パネルにおいてユーザによって設定される。しかしながら、このような仕上げ機能を備えた複写機の仕上げ操作に不慣れなユーザにとっては、適当な仕上げモードとして何を選択すればよいか、あるいは、どのようにすれば所望の仕上げモードに設定できるかについてよくわからないことが多く、この点において従来の画像形成装置は使いやすいものではなかった。
【０００３】
また、下記特許文献１には、仕上げ機能を備えた画像形成装置において、自動原稿給送装置に原稿がセットされたときにユーザに対して仕上げを促す選択画面を表示する手段を有するものが開示されているが、この画像形成装置では仕上げを促す選択画面を表示するだけであってユーザが能動的に各種仕上げモードから適当のものを選択しなければならないため、仕上げ操作に不慣れなユーザにとっては、適当な仕上げモードが何であるかについてはよくわからないままである。
【０００４】
【特許文献１】特開平９−２６９７０２号公報
【発明の開示】
【発明が解決しようとする課題】
【０００５】
そこで、本発明は、仕上げ操作に不慣れなユーザでも適当なお勧め仕上げモードの設定を容易に行うことができる画像形成装置を提供することを課題とする。
【課題を解決するための手段】
【０００６】
前記課題を解決するため、本発明は、仕上げ機能を備えた画像形成装置であって、
原稿枚数および印刷部数を設定可能な操作手段と、
前記操作手段で設定された少なくとも原稿枚数と印刷部数に基づいて、適当なお勧め仕上げモードを判断する制御手段と、
前記制御手段により判断された適当なお勧め仕上げモードをユーザに対して表示する表示手段と、を備えたものである。
【０００７】
本発明の画像形成装置において、前記制御手段は、前記原稿枚数が所定枚数以上で且つ前記印刷部数が１であれば第１綴じ手段であるステープルをお勧め仕上げモードとして選定してもよい。
【０００８】
また、本発明の画像形成装置において、前記制御手段は、前記原稿枚数が所定枚数以上で且つ前記印刷部数が２以上であれば第１綴じ手段であるステープルおよび／またはパンチをお勧め仕上げモードとして選定してもよい。
【０００９】
また、本発明の画像形成装置において、前記制御手段は、一部当たりの出力枚数がステープル可能枚数を超えていれば、パンチおよびソートをお勧め仕上げモードとして選定してもよい。この場合、前記制御部は、さらに第２綴じ手段を追加してお勧め仕上げモードとして選定してもよい。
【００１０】
また、本発明の画像形成装置において、前記制御手段は、前記原稿枚数が所定枚数以上で且つ一部あたりの出力枚数がステープル可能枚数を超えていれば、第２綴じ手段をお勧め仕上げモードとして選定してもよい。
【００１１】
また、本発明の画像形成装置において、前記所定枚数が２であってもよい。
【００１２】
また、本発明の画像形成装置において、前記制御手段は、ユーザによって前記操作手段で週刊誌モードが設定されていれば、第１綴じ手段であるステープルと、中折りまたはパンチとをお勧め仕上げモードとして選定してもよい。この場合、前記制御部は、印刷される用紙が中折り可能サイズでなければパンチとステープルをお勧め仕上げモードとして選定してもよいし、印刷される用紙が中折り可能サイズであれば中折りと中綴じステープルをお勧め仕上げモードとして選定してもよい。
【００１３】
さらに、前記操作手段および前記表示手段は、画像形成装置に設けられた操作パネルであってもよいし、あるいは、画像形成装置に接続されたパソコンに含まれてもよい。
【発明の効果】
【００１４】
本発明の画像形成装置によれば、制御手段が少なくとも原稿枚数と印刷部数とに基づいて判断した適当な仕上げモードをユーザに勧める表示を表示手段で行うようにしたので、仕上げ操作に不慣れなユーザでも適当な仕上げモードの設定を容易に行うことができる。
【発明を実施するための最良の形態】
【００１５】
以下に、本発明の実施の形態について添付図面を参照して説明する。
図１は、本発明の一実施形態である画像形成装置１０の概略構成図である。画像形成装置１０は、画像形成装置本体１２と、これに付設された仕上げ装置１４とからなっている。画像形成装置本体１２の内部には、感光体ドラム１６が配置されている。感光体ドラム１６の周囲には、いずれも不図示の帯電器、露光装置、現像器、転写部材、クリーニング部材等が配置されている。
【００１６】
画像形成装置本体１２の下部には、３段の給紙トレイ１８，２０，２２が設けられている。各給紙トレイ１８，２０，２２には、サイズの異なる用紙がそれぞれ積載収容されるようになっている。また、感光体ドラム１６の側方には、ローラ対を含む定着装置２４が配置されている。
【００１７】
画像形成装置本体１２の上部には、自動原稿給送装置（ＡＤＦ）を含む原稿読み取り装置２６が設けられている。原稿読み取り装置では、原稿が自動原稿給送装置にセットされると、原稿が１枚ずつ送られて原稿画像が連続的に読み取られるようになっている。
【００１８】
また、画像形成装置本体１２は、仕上げ装置１４を含む画像形成装置１０全体の動作を制御する制御部（制御手段）２８を備えている。
【００１９】
さらに、画像形成装置本体１２の上面には、操作パネル（操作手段）３０が設置されている。操作パネルの詳細については後述する。
【００２０】
仕上げ装置１４は、その内部にパンチ装置３２、折り装置３４、ステープル装置３６および第２綴じ装置（第２綴じ手段）３８を備えるとともに、その側面に第１および第２排紙トレイ４０，４２が上下に間隔をおいて付設されている。
【００２１】
画像形成装置本体１２において、各給紙トレイ１８，２０，２２から延伸する用紙搬送路４４が感光体ドラム１６の下側を通って定着装置２４を貫通して延びている。それから用紙搬送路４４は、仕上げ装置１４内においてパンチ装置３２、折り装置３４およびステープル装置３６を通って第１排紙トレイまで延びている。また、仕上げ装置１４内において用紙搬送路４４は折り装置３４とステープル装置３６との間で分岐しており、その分岐した用紙搬送路４６は第２綴じ装置３８を通って第２排紙トレイ４２まで延びている。
【００２２】
図２は、操作パネル３０の平面図である。操作パネル３０は、例えば液晶ディスプレイからなるタッチパネル式の表示部（表示手段）４８と、原稿枚数や印刷部数を入力するため等に使用する押下式のテンキー５０と、画像形成動作の開始を指示する押下式のスタートキー５２などを含んでいる。
【００２３】
図２（ａ）は、画像形成装置１０がコピー可能待機状態にあるときの操作パネル３０の表示部４８の通常表示画面を示す。このとき表示部４８には、「コピーできます」の文章表示とともに、用紙、倍率、片面／両面、仕上げの４つのアイコンが表示されている。これら４つのアイコンは、通常は白地で黒色の文字および線で表示されているが、ユーザが指でアイコンをタッチすると反転表示（すなわち黒地で白色の文字および線で表示）されるようになっている。なお、各図中では反転表示を斜線で示す。
【００２４】
用紙のアイコンは、画像形成装置本体１２の給紙トレイ１８，２０，２２のいずれの用紙を使用するかを選択するときに使用するものである。用紙のアイコンを用いて用紙選択をせずにコピーするときには、原稿読み取り装置２６に原稿がセットされたときに、原稿サイズを自動的に判別して、それと同じサイズの用紙が使用されることになる。
【００２５】
倍率のアイコンは、コピー倍率を設定するときに使用するものである。倍率のアイコンを用いてコピー倍率を特別に設定せずにコピーするときには、等倍率（すなわち１倍）でコピーされることになる。
【００２６】
片面／両面のアイコンは、片面印刷または両面印刷を設定するときに使用されるものである。このアイコンを用いて特別に設定しない場合には、片面印刷でコピーされることになる。
【００２７】
仕上げのアイコンは、各種の仕上げモードを設定するときに使用するものである。このアイコンを用いて仕上げモードを特別に設定しない場合には、何らの仕上げ処理がなされることなくコピーされた用紙が第１トレイ４０に排紙されることになる。
【００２８】
図示されていないが、操作パネル３０の表示部４８には、週刊誌モードおよび混載モードに設定するためのアイコンがそれぞれ表示されている。
【００２９】
ユーザが特定の仕上げ処理を望むときに仕上げのアイコンを指でタッチすると、このアイコンが反転表示されてから、表示部４８の表示が図２（ｂ）に示すように仕上げメニュー表示に切り替わる。この仕上げメニューに表示されるアイコンによって、パンチ、コーナーステープル、２点ステープル、中綴じ、中折り、ソート、グループなどの各種仕上げモードを設定できるようになっている。
【００３０】
続いて、前記構成からなる画像形成装置の基本動作を図３のフローチャートを参照して説明する。
ユーザが原稿読み取り装置２６に原稿をセットして操作パネル３０のテンキー５０で原稿枚数および印刷部数を入力してからスタートキー５２を押下すると、原稿読み取り装置では原稿を１枚ずつ給送して原稿画像を読み取る（ステップＳ１）。読み取られた原稿画像はデジタルデータ化されて制御部２８のメモリに一旦格納される。なお、原稿枚数は、原稿読み取り装置で原稿を順次読み取る際に自動的にカウントされるようにしてもよい。
【００３１】
用紙トレイ１８，２０，２２からは、用紙が１枚ずつ用紙搬送路４０に給紙されて搬送される（ステップＳ２）。
【００３２】
前記メモリに格納された画像データに基づいて露光装置が露光することで感光体ドラム１６の表面に静電潜像が形成され、この静電潜像が現像器で現像されてトナー画像となり、このトナー画像が用紙搬送路４０を搬送されてきた用紙に転写部材によって転写される（ステップＳ３）。
【００３３】
トナー画像が転写された用紙は、定着装置２４を通過する際に加熱定着され（ステップＳ４）、それから用紙は画像形成装置本体１２から仕上げ装置１４へと搬入される。
【００３４】
仕上げ装置１４に搬入された用紙は、予めユーザが操作パネル３０で設定した仕上げモードに従って、パンチ、ステープル、紙折りなどの仕上げ処理が実行され（ステップＳ５）、その後用紙は第１排紙トレイ４０または第２排紙トレイ４２に排出される。
【００３５】
そして、画像形成装置１０では、操作パネル制御が実行される（ステップＳ６）。この操作パネル制御では、操作パネル３０上のキー入力受付と、表示部４８の表示処理を行う。表示部４８の表示には、画像形成装置のステータス表示、現在設定されているモード表示、ユーザへの案内表示などがある。前記ユーザへの案内表示には、本発明の特徴部分であるお勧め仕上げモード表示も含まれる。
【００３６】
図４（ａ）は操作パネル３０の表示部４８に通常画面が表示されている状態を示し、同図（ｂ）は操作パネル３０の表示部４８にお勧め仕上げモードの一例が表示されている状態を示す。図４（ａ）に示す状態の操作パネル３０において、ユーザがテンキー５０によって原稿枚数および印刷枚数を入力した後、仕上げモードを設定せずにスタートキー５２を押下したとき、制御部２８は、前記原稿枚数および印刷部数に基づいて出力枚数が２以上であると判断した際、図４（ｂ）に示すようなお勧め仕上げモード表示に切り換える。このお勧め仕上げモード表示の例では、パンチ、中折り、中綴じの３種類の適当な仕上げモードが推奨されている。
【００３７】
これら３種類の適当な仕上げモードのうちユーザがいずれかのアイコン（例えば中折り）を指でタッチして選択すると、選択されたアイコンを視覚的に判別できるように反転表示させる。そして、ユーザがいずれかの仕上げモードを選択した後、ＯＫボタンを押すと、画像形成装置１０は選択された仕上げモードでの画像形成動作を開始する。一方、ユーザがお勧めモードを実行したくない場合には、仕上げモードを選択することなくＯＫボタンを押下するように促す。この場合に、ＯＫボタンだけが押下されれば、お勧めモードが表示される前に設定されているモードで画像形成動作が開始される。
【００３８】
本実施形態の画像形成装置１０において、制御部２８が判断する適当なお勧め仕上げモードとしては次のような（１）〜（７）の例が考えられる。
【００３９】
（１）原稿枚数が多い場合には出力枚数も多くなるため、ファイリングしやすいように図５に示すような２穴パンチを勧める。
【００４０】
（２）週刊誌モードが設定された場合、図６（ａ）に示すように、中折りを勧める。この場合、中折り仕上げすることで、中折りされて排紙された複数の印刷済み用紙を順番に重ねるだけで週刊誌のような状態にすることが容易になる。ここで、週刊誌モードとは、原稿サイズの２倍サイズの用紙を用いて、複数の原稿画像が印刷された用紙を重ねて中折りしたときに、用紙半ページを順番にくるごとに週刊誌のように原稿画像が原稿順に現れるように用紙両面に印刷する印刷モードである。具体的には、図示するように、８枚の原稿がある場合にそれらの原稿画像を順次に読み取り、１枚目の用紙Ａの表面に第２原稿画像と第７原稿画像、同じ用紙Ａの裏面に第１原稿画像と第８原稿画像をそれぞれ印刷し、２枚目の用紙Ｂの表面に第４原稿画像と第５原稿画像、同じ用紙Ｂの裏面に第３原稿画像と第６原稿画像をそれぞれ印刷して、先に排紙された用紙Ａの上に用紙Ｂが排紙される。
【００４１】
また、混載モードが選択された場合にも、図６（ｂ）に示すように、中折りを勧める。ここで、混載モードとは、サイズが異なる複数の原稿が混載されているときに、原稿サイズに応じたサイズの用紙を自動的に選択して印刷を行う印刷モードである。具体的には、図示するように、Ａ４サイズの原稿とＡ３サイズの原稿が混載されている場合、Ａ４サイズの原稿画像はＡ４サイズの用紙に印刷し、Ａ３サイズの原稿画像はＡ３サイズの用紙に印刷する。このような場合に、中折り仕上げすることで、Ａ３サイズの印刷済み用紙もＡ４サイズに中折りされた状態で排紙されるので、他のＡ４サイズの印刷済み用紙と同様に整然と揃えて扱うことができる。
【００４２】
（３）週刊誌モードが設定された場合には、図７（ａ）に示すように、印刷されて重ねられた複数の用紙の中央２箇所にステープルを打つ中綴じステープルを勧める。
【００４３】
（４）一部あたりの出力枚数が多い場合に、図７（ｂ）に示すように、印刷して重ねられた用紙の左上角部にステープルを打つコーナーステープルを勧める。
【００４４】
（５）一部あたりの出力枚数が多い場合に、図７（ｃ）に示すように、印刷して重ねられた用紙の左隅２箇所にステープルを打つ２点ステープルを勧める。
【００４５】
なお、図７に示す各種のステープルが第１綴じ手段を構成する。
【００４６】
（６）一部あたりの出力枚数がステープル可能枚数を超える場合、図８（ａ）に示すように、印刷されて重ねられた用紙の左上角部に穴を開けて束ねる、クリップ等で綴じる、または、バインダ等で綴じる、などの第２綴じ装置３８による第２綴じ手段を勧める。
【００４７】
（７）印刷部数が多い場合に、図８（ｂ）に示すように、一部毎に排紙トレイ４０上での積載位置を交互にずらすソートを勧める。
【００４８】
図９は、制御部２８と操作パネル３０についての制御フローを示す。操作パネル３０では、まず、各キーの押下状態判別受付回路を一定時間間隔でスキャンし、その結果により制御部２８はいずれのキーが押下されたかを判別するとともに、所定の動作モードを決定する（ステップＳ７）。当該動作モードは、不揮発性メモリに記憶されてキーの押下状態が解除された後でも保持される。ここで設定された動作モードにしたがって画像形成動作が行われることになる。
【００４９】
ついで、制御部２８は、ユーザにより操作パネル３０のテンキーで設定された原稿枚数および印刷部数に基づいて、お勧め仕上げモードを判断して決定する（ステップＳ８）。この処理については図１３Ａ，１３Ｂ，１３Ｃを参照して後述する。また、ここではお勧め仕上げモードを推奨する画面を操作パネル３０の表示部４８にいつ表示するかも決定される。この処理については図１２を参照して後述する。
【００５０】
そして、決定されたお勧め仕上げモードを操作パネル３０の表示部４８に表示する（ステップＳ９）。
【００５１】
図１０は、制御部２８における、お勧め仕上げモードの判断フローを示す。まず、出力枚数が決定されたかどうかを判断する（ステップＳ１０）。この出力枚数は、ユーザによって操作パネル３０のテンキー５０を用いて原稿枚数および印刷枚数が入力されていれば決定できる。また、ここでは、図１１に示すように、ユーザによって操作パネル３０のスタートキー５２が押下されたことを検知すると、ユーザが仕上げ設定を行っていないかどうかを判断し（ステップＳ１６）、何らかの仕上げ設定が行われている場合には通常コピーモードで動作する。一方、何らの仕上げ設定もなされていない場合には、出力枚数が２以上であるかどうかを判断する（ステップＳ１７）。その結果、出力枚数が２以上でなければ通常のコピーモードで動作し、出力枚数が２以上であればお勧めコピーモードで動作することになる。
【００５２】
図１０を再び参照すると、出力枚数が決定できたときには、操作パネル３０の表示部４８にお勧め仕上げモードが表示されている状態にあるかどうかを判断する（ステップＳ１１）。お勧め仕上げモードが表示されている状態である場合には、そのまま処理を終了する。また、ここでは、図１２に示すように、お勧め仕上げモードが表示されている状態であれば、お勧め表示画面をそのまま保持し（ステップＳ１８）、お勧め仕上げモードが表示されている状態でなければ通常表示画面に切り替える（ステップＳ１９）。なお、保持されたお勧め表示画面を通常表示画面に切り替えるのは、例えば、ユーザが登録したジョブの画像形成動作が完了したと判断できたとき、あるいは、前記ジョブの画像形成動作を開始してから一定時間経過したときとする。
【００５３】
図１０に戻って、お勧め仕上げモードが表示されている状態でなければ、お勧め仕上げモード判断処理を実行する（ステップＳ１２）。判断の結果を受けて、お勧め仕上げモードが存在するか否かを判断し（ステップＳ１３）、お勧め仕上げモードが存在しない場合にはそのまま処理を終了する。一方、お勧め仕上げモードが存在する場合には、そのお勧め仕上げモードを操作パネル３０の表示部４８に表示する（ステップＳ１４）。
【００５４】
続いて、図１３Ａ〜１３Ｃを参照して、前記お勧め仕上げモード判断処理の詳細をコピー動作実行まで含めて説明する。図１３Ａおよび図１３Ｂにおいては、印刷部数を「置数」または「置数枚数」と表示してある。なお、印刷部数は、ユーザがテンキー５０で特別に入力しない限り通常は１に設定されている場合が一般的であるが、この場合でも印刷部数１はユーザにより設定（または選択）されたものとして扱う。
【００５５】
図１３Ａに示すように、制御部２８は、まず、ユーザにより操作パネル３０のテンキーから入力された原稿枚数と印刷部数とに基づいて、どの制御に切り替えるかの判断を行う（ステップＳ２０）。この判断において、原稿枚数が１で印刷部数が２以上であると判断された場合（ステップＳ２１）、パンチ（図５参照）をお勧め仕上げモードとして選定して操作パネル３０の表示部４８に表示させる（ステップＳ２２）。
【００５６】
原稿枚数が所定枚数（ここでは２）以上で印刷部数が１であると判断された場合（ステップＳ２３）、出力枚数がステープル可能枚数であるか否かを判断する（ステップＳ２４）。ステープル可能枚数でないと判断された場合、パンチ（図５参照）または第２綴じ手段（図８（ａ）参照）をお勧め仕上げモードとして選定して操作パネル３０の表示部４８に表示させる（ステップＳ３２）。
【００５７】
一方、出力枚数がステープル可能枚数であると判断された場合には、週刊誌モードが選択設定されているか否かを判断する（ステップＳ２５）。週刊誌モードが選択設定されていない場合には、混載モードが選択されているか否かを判断する（ステップＳ２９）。混載モードも設定されていない場合には、パンチおよびステープルをお勧め仕上げモードとして選定して操作パネル３０の表示部４８に表示させる（ステップＳ３１）。この場合、ステープルに関しては、２点ステープル（図７（ｃ）参照）もしくはコーナーステープル（図７（ｂ）参照）をユーザが選択可能なように画面表示する。これに対し、前記ステップＳ２９において混載モードが選択されている場合には、中折り（図６（ｂ）参照）およびコーナーステープルをお勧め仕上げモードとして選定して操作パネル３０の表示部４８に表示させる（ステップＳ３０）。
【００５８】
前記ステップＳ２５において週刊誌モードが選択設定されている場合、中折り可能な用紙であるか否かを判断する（ステップＳ２６）。中折り可能でない用紙であると判断されると、パンチおよびステープルをお勧め仕上げモードとして選定して操作パネル３０の表示部４８に表示させる（ステップＳ２８）。この場合、ステープルに関しては、２点ステープルもしくはコーナーステープルをユーザが選択可能なように画面表示する。一方、中折り可能な用紙であると判断されると、中綴じステープル（図７（ａ）参照）および中折りをお勧め仕上げモードとして選定して操作パネル３０の表示部４８に表示させる（ステップＳ２７）。
【００５９】
図１３Ｂに示すように、原稿枚数が所定枚数（ここでは２）以上で印刷部数が２以上である場合（ステップＳ３３）、一部あたりの出力枚数がステープル可能枚数であるか否かを判断する（ステップＳ３４）。ステープル可能枚数でない場合には、パンチおよび第２綴じ手段およびソート（図８（ｂ）参照）をお勧め仕上げモードとして選定して操作パネル３０の表示部４８に表示させる（ステップＳ４１）。
【００６０】
一方、前記ステップ３４において一部あたりの出力枚数がステープル可能枚数であると判断された場合、週刊誌モードが選択設定されているか否かを判断する（ステップＳ３５）。週刊誌モードが選択設定されていない場合、混載モードが選択されているか否かを判断し（ステップＳ３９）、混載モードが選択されていない場合にはパンチおよびステープルをお勧め仕上げモードとして選定して操作パネル３０の表示部４８に表示させる（ステップＳ４１）。この場合、ステープルに関しては、２点ステープルもしくはコーナーステープルをユーザが選択可能なように画面表示する。これに対し、混載モードが選択されている場合には、中折りおよびコーナーステープルをお勧め仕上げモードとして選定して操作パネル３０の表示部４８に表示させる（ステップＳ４０）。
【００６１】
前記ステップＳ３５において週刊誌モードが選択設定されていると判断された場合、中折り可能な用紙であるか否かを判断する（ステップＳ３６）。中折り可能でない用紙であると判断されると、パンチおよびステープルをお勧め仕上げモードとして選定して操作パネル３０の表示部４８に表示させる（ステップＳ３８）。この場合、ステープルに関しては、２点ステープルもしくはコーナーステープルをユーザが選択可能なように画面表示する。一方、中折り可能な用紙であると判断されると、中綴じステープルおよび中折りをお勧め仕上げモードとして選定して操作パネル３０の表示部４８に表示させる（ステップＳ３７）。
【００６２】
図１３Ｃに示すように、上記のようにしてお勧め仕上げモードが操作パネル３０の表示部４８に表示されると、次にユーザが表示されたお勧め仕上げモードを選択したか否かを判断する（ステップＳ４２）。ユーザが表示部４８のアイコンをタッチまたは押下することでお勧め仕上げモードが選択された場合、選択されたお勧め仕上げモードにてコピー動作を指示し（ステップＳ４３）、コピー動作を実行する（ステップＳ４５）。一方、お勧め仕上げモードが選択されなかった場合、お勧め仕上げモード表示前のユーザ設定にてコピー動作を指示し（ステップＳ４４）、コピー動作を実行する（ステップＳ４５）。
【００６３】
なお、上述した処理では、原稿枚数が２以上で仕上げ処理内容を異ならせたが、これに限定されず、例えば原稿枚数が３以上で仕上げ処理内容を異ならせてもよいし、このような原稿枚数に関する所定枚数をユーザが操作パネル３０で設定できるようにしてもよい。
【００６４】
上述したように、本実施形態の画像形成装置によれば、制御部２８が原稿枚数と印刷部数等に基づいて判断した適当な仕上げモードをユーザに勧める表示を操作パネル３０の表示部４８で行うようにしたので、仕上げ操作に不慣れなユーザでも適当な仕上げモードの選択および設定を容易に行うことができる。
【００６５】
ところで、前記実施形態では、画像形成装置１０が複写機として使用される場合について説明したが、本発明は画像形成装置１０がパソコンに接続されてプリンタとして機能する場合にも適用可能である。この場合、印刷部数、用紙、仕上げモード等を設定する操作手段とお勧め仕上げモードを表示する表示手段とが、パソコンに含まれるディスプレイ、キーボードおよびマウスで構成されることになる。
【００６６】
図１４（ａ）は、パソコンのディスプレイ６０に表示された印刷指示画面を示す。ユーザはこの画面で印刷部数や用紙や仕上げモード等を設定することができる。なお、原稿枚数は、パソコンからプリンタに送信される画像データから自動的にカウントできるので、ユーザが特別に入力する必要はない。
【００６７】
ユーザが印刷指示画面において仕上げモードを設定せずに「印刷」アイコンをクリックしたとき、画像形成装置１０の制御部２８は出力枚数が２以上であると判断した場合には、図１４（ｂ）に示すようなお勧め仕上げモードをディスプレイ６０に表示させる。この場合のお勧め仕上げモードの判断および表示の処理は、上述した画像形成装置１０の場合と全く同様である。
【図面の簡単な説明】
【００６８】
【図１】画像形成装置の概略構成図。
【図２】操作パネルの通常表示画面と仕上げモード選択画面を示す図。
【図３】画像形成装置の基本動作フローを示す図。
【図４】操作パネルの通常表示画面とお勧め仕上げモード表示画面を示す図。
【図５】パンチを示す図。
【図６】週刊誌モードと混載モードとにおける中折りを示す図。
【図７】中綴じステープル、コーナーステープルおよび２点ステープルを示す図。
【図８】第２綴じ手段とソートを示す図。
【図９】制御部と操作パネルについての制御フローを示す図。
【図１０】制御部におけるお勧め仕上げモードの判断フローを示す図。
【図１１】お勧め仕上げモードの表示タイミングを検出するフローを示す図。
【図１２】操作パネルの表示切り替えフローを示す図。
【図１３Ａ】お勧め仕上げモード判断処理から画像形成実行までの処理フローを示す図。
【図１３Ｂ】お勧め仕上げモード判断処理から画像形成実行までの処理フローを示す図、図１３Ａの続き。
【図１３Ｃ】お勧め仕上げモード判断処理から画像形成実行までの処理フローを示す図、図１３Ａの続き。
【図１４】パソコンのディスプレイを示す図。
【符号の説明】
【００６９】
１０…画像形成装置
１２…画像形成装置本体
１４…仕上げ装置
２６…原稿読み取り装置
２８…制御部（制御手段）
３０…操作パネル（操作手段）
３２…パンチ装置
３４…折り装置
３６…ステープル装置（第１綴じ手段）
３８…第２綴じ装置（第２綴じ手段）
４８…表示部（表示手段）
【図１】
2006285079.tif 000003
【図２】
2006285079.tif 000004
【図３】
2006285079.tif 000005
【図４】
2006285079.tif 000006
【図５】
2006285079.tif 000007
【図６】
2006285079.tif 000008
【図７】
2006285079.tif 000009
【図８】
2006285079.tif 000010
【図９】
2006285079.tif 000011
【図１０】
2006285079.tif 000012
【図１１】
2006285079.tif 000013
【図１２】
2006285079.tif 000014
【図１３Ａ】
2006285079.tif 000015
【図１３Ｂ】
2006285079.tif 000016
【図１３Ｃ】
2006285079.tif 000017
【図１４】
2006285079.tif 000018